(57)【要約】  本発明は、ハンドオーバを要請する理由についての情報を含み、ハンドオーバを要請するためのハンドオーバ要請フレームを第１デバイスが第２デバイスに伝送し、第２デバイスからハンドオーバ要請フレームによるハンドオーバ要請の承認如何を表すハンドオーバ要請結果情報を含むハンドオーバ応答フレームを第１デバイスが受信した後、そのハンドオーバ応答フレームに基づいて、第１デバイスが第２デバイスとのハンドオーバを選択的に行うハンドオーバ実行方法を開示する。
2013520910.tif 000002
【特許請求の範囲】
【請求項１】
第１デバイスと第２デバイスとのハンドオーバ実行方法において、
ハンドオーバを要請する理由についての情報を含み、ハンドオーバを要請するためのハンドオーバ要請フレームを第２デバイスに伝送する段階と、
前記第２デバイスから、前記ハンドオーバ要請の承認如何を表すハンドオーバ要請結果情報を含むハンドオーバ応答フレームを受信する段階と、
前記ハンドオーバ応答フレームに基づいて、前記第２デバイスとハンドオーバとを選択的に行う段階と、を含むことを特徴とするハンドオーバ実行方法。
【請求項２】
前記第１デバイス及び前記第２デバイスは、ＰＢＳＳ（Ｐｅｒｓｏｎａｌ  Ｂａｓｉｃ  Ｓｅｒｖｉｃｅ  Ｓｅｔ）に属し、前記第１デバイスはステーションであり、前記第２デバイスは前記ＰＢＳＳにおける制御ポイント（ＰＢＳＳ  Ｃｏｎｔｒｏｌ  Ｐｏｉｎｔ：ＰＣＰ）であることを特徴とする請求項１に記載のハンドオーバ実行方法。
【請求項３】
前記ハンドオーバを要請する理由についての情報は、
前記ステーションが、前記ＰＣＰよりＰＣＰとしての動作実行能力がさらに優秀な場合、及び前記ステーションが特定のサービスを提供するためにＰＣＰとして動作することを所望する場合のうち一つの理由についての情報を含み、
前記ハンドオーバ要請フレームは、前記ステーションが、前記ハンドオーバを要請する理由についての情報のうち一つの理由を持つ場合に限って伝送されることを特徴とする請求項２に記載のハンドオーバ実行方法。
【請求項４】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項２に記載のハンドオーバ実行方法。
【請求項５】
前記ハンドオーバ要請を拒絶する理由についての情報は、
前記ステーションの残余電力量が所定の臨界値以下である場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションの通信可能領域が前記ＰＣＰの通信可能領域より狭くて、前記ステーションが前記ＰＣＰに結合されているステーションの数より少数のステーションと結合できる場合、前記ステーションが前記ＰＢＳＳを離れる予定である場合、前記ＰＣＰが特定のサービスを提供中である場合、前記ステーションが前記ハンドオーバ要請フレームを伝送した時点に、前記ＰＣＰに残っているビーコンインターバルの数が臨界値以下である場合、及び前記ステーションが使用中の通信リンクの周波数帯域を他の周波数帯域に変更しようとする場合のうち一つの理由についての情報を含むことを特徴とする請求項４に記載のハンドオーバ実行方法。
【請求項６】
前記第１デバイス及び前記第２デバイスはＰＢＳＳに属し、前記第１デバイスは前記ＰＢＳＳにおける制御ポイントであり、前記第２デバイスはステーションであることを特徴とする請求項１に記載のハンドオーバ実行方法。
【請求項７】
前記ハンドオーバを要請する理由についての情報は、
前記ＰＣＰが前記ＰＢＳＳを離れる予定である場合、前記ＰＣＰの残余電力量が所定の臨界値以下である場合、前記ＰＣＰよりＰＣＰとしての動作実行能力がさらに優秀なステーションが存在する場合、前記ＰＣＰの通信リンク状態が悪い場合、前記ＰＣＰに結合しようとするステーションの数が前記ＰＣＰに結合できるステーションの最大数を超過する場合のうち一つの理由についての情報を含むことを特徴とする請求項６に記載のハンドオーバ実行方法。       
【請求項８】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項６に記載のハンドオーバ実行方法。
【請求項９】
前記ハンドオーバ要請を拒絶する理由についての情報は、
前記ステーションの残余電力量が低い場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションが特定のサービスを提供し続けることを所望する場合、前記ステーションの通信可能領域が前記ＰＣＰの通信可能領域より狭くて、前記ステーションが前記ＰＣＰに結合されているステーションの数より少数のステーションと結合できる場合、前記ステーションがＱｏＳ（Ｑｕａｌｉｔｙ  ｏｆ  Ｓｅｒｖｉｃｅ）が保証されるべきサービスを提供している場合、前記ステーションが前記ＰＢＳＳを離れる予定である場合、及び前記ステーションが使用中の通信リンクの周波数帯域を他の周波数帯域に変更する予定である場合のうちいずれか一つの理由についての情報を含むことを特徴とする請求項６に記載のハンドオーバ実行方法。
【請求項１０】
前記ハンドオーバ要請フレームは、
前記ハンドオーバ要請フレームの伝送時点から前記ハンドオーバ開始時点までの区間の間に、前記ＰＣＰに残っているビーコンインターバルの数についての情報をさらに含むことを特徴とする請求項１に記載のハンドオーバ実行方法。
【請求項１１】
第１デバイスの第２デバイスとのハンドオーバ実行装置において、
ハンドオーバを要請する理由についての情報を含み、ハンドオーバを要請するためのハンドオーバ要請フレームを第２デバイスに伝送する伝送部と、
前記第２デバイスから前記ハンドオーバ要請の承認如何を表すハンドオーバ要請結果情報を含むハンドオーバ応答フレームを受信する受信部と、
前記ハンドオーバ応答フレームに基づいて、前記第２デバイスとハンドオーバを選択的に行うハンドオーバ実行部と、を備えることを特徴とするハンドオーバ実行装置。
【請求項１２】
前記第１デバイス及び前記第２デバイスは、ＰＢＳＳに属し、前記第１デバイスはステーションであり、前記第２デバイスは前記ＰＢＳＳにおける制御ポイントであることを特徴とする請求項１１に記載のハンドオーバ実行装置。
【請求項１３】
前記ハンドオーバを要請する理由についての情報は、
前記ステーションが前記ＰＣＰよりＰＣＰとしての動作実行能力がさらに優秀な場合、及び前記ステーションが特定のサービスを提供するためにＰＣＰとして動作することを所望する場合のうち一つの理由についての情報を含み、
前記ハンドオーバ要請フレームは、前記ステーションが前記ハンドオーバを要請する理由についての情報のうち一つの理由を持つ場合に限って伝送されることを特徴とする請求項１２に記載のハンドオーバ実行装置。
【請求項１４】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項１２に記載のハンドオーバ実行装置。
【請求項１５】
前記ハンドオーバ要請を拒絶する理由についての情報は、
前記ステーションの残余電力量が所定の臨界値以下である場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションの通信可能領域が前記ＰＣＰの通信可能領域より狭くて、前記ステーションが前記ＰＣＰに結合されているステーションの数より少数のステーションと結合できる場合、前記ステーションが前記ＰＢＳＳを離れる予定である場合、前記ＰＣＰが特定のサービスを提供中である場合、前記ステーションが前記ハンドオーバ要請フレームを伝送した時点に前記ＰＣＰに残っているビーコンインターバルの数が臨界値以下である場合、及び前記ステーションが使用中の通信リンクの周波数帯域を他の周波数帯域に変更しようとする場合のうち一つの理由についての情報を含むことを特徴とする請求項１４に記載のハンドオーバ実行装置。
【請求項１６】
前記第１デバイス及び前記第２デバイスは、ＰＢＳＳに属し、前記第１デバイスは、前記ＰＢＳＳにおける制御ポイントであり、前記第２デバイスは、ステーションであることを特徴とする請求項１１に記載のハンドオーバ実行装置。
【請求項１７】
前記ハンドオーバを要請する理由についての情報は、
前記ＰＣＰが前記ＰＢＳＳを離れる予定である場合、前記ＰＣＰの残余電力量が所定の臨界値以下である場合、前記ＰＣＰよりＰＣＰとしての動作実行能力がさらに優秀なステーションが存在する場合、前記ＰＣＰの通信リンク状態が悪い場合、前記ＰＣＰに結合しようとするステーションの数が前記ＰＣＰに結合できるステーションの最大数を超過する場合のうち一つの理由についての情報を含むことを特徴とする請求項１６に記載のハンドオーバ実行装置。
【請求項１８】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項１６に記載のハンドオーバ実行装置。
【請求項１９】
前記ハンドオーバ要請を拒絶する理由についての情報は、
前記ステーションの残余電力量が低い場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションが特定のサービスを提供し続けることを所望する場合、前記ステーションの通信可能領域が前記ＰＣＰの通信可能領域より狭くて、前記ステーションが前記ＰＣＰに結合されているステーションの数より少数のステーションと結合できる場合、前記ステーションがＱｏＳが保証されるべきサービスを提供している場合、前記ステーションが前記ＰＢＳＳを離れる予定である場合、及び前記ステーションが使用中の通信リンクの周波数帯域を他の周波数帯域に変更する予定である場合のうち一つの理由についての情報を含むことを特徴とする請求項１６に記載のハンドオーバ実行装置。
【請求項２０】
前記ハンドオーバ要請フレームは、
前記ハンドオーバ要請フレームの伝送時点から前記ハンドオーバ開始時点までの区間の間に、前記ＰＣＰに残っているビーコンインターバルの数についての情報をさらに含むことを特徴とする請求項１１に記載のハンドオーバ実行装置。
【請求項２１】
第１デバイスと第２デバイスとのハンドオーバ実行方法において、
ハンドオーバを要請する理由についての情報を含み、ハンドオーバを要請するためのハンドオーバ要請フレームを第２デバイスに伝送する段階と、
前記第２デバイスから、前記ハンドオーバ要請の承認如何を表すハンドオーバ要請結果情報を含むハンドオーバ応答フレームを受信する段階と、
前記ハンドオーバ応答フレームに基づいて、前記第２デバイスとハンドオーバを選択的に行う段階と、を含むことを特徴とするハンドオーバ実行方法を実行させるためのプログラムが記録されたコンピュータで読み取り可能な記録媒体。
【発明の詳細な説明】
【技術分野】
【０００１】
本発明は、ハンドオーバ実行方法及びその装置に関する。
【背景技術】
【０００２】
ＷＬＡＮ（Ｗｉｒｅｌｅｓｓ  Ｌｏｃａｌ  Ａｒｅａ  Ｎｅｔｗｏｒｋ）システムにおけるＢＳＳ（Ｂａｓｉｃ  Ｓｅｒｖｉｃｅ  Ｓｅｔ）は、一つのＡＰ（Ａｃｃｅｓｓ  Ｐｏｉｎｔ）と複数のステーションとで構成されたネットワークであり、特定の場合（ＤＬＳ（Ｄｉｒｅｃｔ  Ｌｉｎｋ  Ｓｅｔｕｐ）、ＴＤＳＬ（Ｔｕｎｎｅｌｅｄ  Ｄｉｒｅｃｔ  Ｌｉｎｋ  Ｓｅｔｕｐ））を除いては、原則的にステーションが常にＡＰを通じて通信を行うように構成されたネットワークをいう。この時、ＡＰは、自身のＡＰ機能を他のステーションに渡すことができない。
【０００３】
ＷＰＡＮ（Ｗｉｒｅｌｅｓｓ  Ｐｅｒｏｎａｌ  Ａｒｅａ  Ｎｅｔｗｏｒｋ）は、調整子と複数のステーションとで構成されたネットワークであり、原則的に、ステーションがＢＳＳにおけるＡＰに対応する調整子を通じなくても互いに直接通信を行えるように構成されたネットワークをいう。また、ＷＰＡＮシステムでは、ステーションのうち調整子として動作できる機能を持つステーションが存在できるので、調整子が、調整子の役割を他のステーションに渡すべき状況が発生した場合に、調整子は、調整子の役割を行えるステーションに調整子の役割を渡すようになる。このように調整子が調整子の役割をステーションに渡すことを、ハンドオーバ（ｈａｎｄｏｖｅｒ）という。
【発明の概要】
【発明が解決しようとする課題】
【０００４】
本発明の目的は、ハンドオーバ実行方法及びその装置を提供することである。
【課題を解決するための手段】
【０００５】
前記目的を達成するための本発明の一実施形態による第１デバイスと第２デバイスとのハンドオーバ実行方法は、ハンドオーバを要請する理由についての情報を含み、ハンドオーバを要請するためのハンドオーバ要請フレームを第２デバイスに伝送する段階と、前記第２デバイスから、前記ハンドオーバ要請の承認如何を表すハンドオーバ要請結果情報を含むハンドオーバ応答フレームを受信する段階と、前記ハンドオーバ応答フレームに基づいて、前記第２デバイスとハンドオーバとを選択的に行う段階と、を含む。
【０００６】
望ましくは、前記第１デバイス及び前記第２デバイスは、ＰＢＳＳ（Ｐｅｒｓｏｎａｌ  Ｂａｓｉｃ  Ｓｅｒｖｉｃｅ  Ｓｅｔ）に属し、前記第１デバイスはステーションであり、前記第２デバイスは前記ＰＢＳＳにおける制御ポイント（ＰＢＳＳ  Ｃｏｎｔｒｏｌ  Ｐｏｉｎｔ：ＰＣＰ）である。
【０００７】
望ましくは、前記ハンドオーバを要請する理由についての情報は、前記ステーションが、前記ＰＣＰよりＰＣＰとしての動作実行能力がさらに優秀な場合、及び前記ステーションが特定のサービスを提供するためにＰＣＰとして動作することを所望する場合のうち一つの理由についての情報を含み、前記ハンドオーバ要請フレームは、前記ステーションが、前記ハンドオーバを要請する理由についての情報のうち一つの理由を持つ場合に限って伝送される。
【０００８】
望ましくは、前記ハンドオーバ応答フレームは、前記ハンドオーバ要請結果情報が前記ハンドオーバ要請の拒絶を表示する場合に、前記ハンドオーバ要請を拒絶する理由についての情報をさらに含む。
【０００９】
望ましくは、前記ハンドオーバ要請を拒絶する理由についての情報は、前記ステーションの残余電力量が所定の臨界値以下である場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションの通信可能領域が前記ＰＣＰの通信可能領域より狭くて、前記ステーションが前記ＰＣＰに結合されているステーションの数より少数のステーションと結合できる場合、前記ステーションが前記ＰＢＳＳを離れる予定である場合、前記ＰＣＰが特定のサービスを提供中である場合、前記ステーションが前記ハンドオーバ要請フレームを伝送した時点に、前記ＰＣＰに残っているビーコンインターバルの数が臨界値以下である場合、及び前記ステーションが使用中の通信リンクの周波数帯域を他の周波数帯域に変更しようとする場合のうち一つの理由についての情報を含む。
【００１０】
望ましくは、前記第１デバイス及び前記第２デバイスはＰＢＳＳに属し、前記第１デバイスは前記ＰＢＳＳにおける制御ポイントであり、前記第２デバイスはステーションである。
【００１１】
望ましくは、前記第１デバイス及び前記第２デバイスは、ＰＢＳＳに属し、前記第１デバイスは、前記ＰＢＳＳにおける制御ポイントであり、前記第２デバイスは、ステーションである場合に、前記ハンドオーバを要請する理由についての情報は、前記ＰＣＰが前記ＰＢＳＳを離れる予定である場合、前記ＰＣＰの残余電力量が所定の臨界値以下である場合、前記ＰＣＰよりＰＣＰとしての動作実行能力がさらに優秀なステーションが存在する場合、前記ＰＣＰの通信リンク状態が悪い場合、前記ＰＣＰに結合しようとするステーションの数が前記ＰＣＰに結合できるステーションの最大数を超過する場合のうち一つの理由についての情報を含む。
【００１２】
望ましくは、前記第１デバイス及び前記第２デバイスは、ＰＢＳＳに属し、前記第１デバイスは、前記ＰＢＳＳにおける制御ポイントであり、前記第２デバイスは、ステーションである場合に、前記ハンドオーバ応答フレームは、前記ハンドオーバ要請結果情報が前記ハンドオーバ要請の拒絶を表示する場合に、前記ハンドオーバ要請を拒絶する理由についての情報をさらに含む。
【００１３】
望ましくは、前記第１デバイス及び前記第２デバイスは、ＰＢＳＳに属し、前記第１デバイスは、前記ＰＢＳＳにおける制御ポイントであり、前記第２デバイスは、ステーションである場合に、前記ハンドオーバ要請を拒絶する理由についての情報は、前記ステーションの残余電力量が低い場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションが特定のサービスを提供し続けることを所望する場合、前記ステーションの通信可能領域が前記ＰＣＰの通信可能領域より狭くて、前記ステーションが前記ＰＣＰに結合されているステーションの数より少数のステーションと結合できる場合、前記ステーションがＱｏＳ（Ｑｕａｌｉｔｙ  ｏｆ  Ｓｅｒｖｉｃｅ）が保証されるべきサービスを提供している場合、前記ステーションが前記ＰＢＳＳを離れる予定である場合、及び前記ステーションが使用中の通信リンクの周波数帯域を他の周波数帯域に変更する予定である場合のうち一つの理由についての情報を含む。
【００１４】
望ましくは、前記ハンドオーバ要請フレームは、前記ハンドオーバ要請フレームの伝送時点から前記ハンドオーバ開始時点までの区間の間に、前記ＰＣＰに残っているビーコンインターバルの数についての情報をさらに含む。
【００１５】
また、前記目的を達成するための本発明の他の実施形態による第１デバイスの第２デバイスとのハンドオーバ実行装置は、ハンドオーバを要請する理由についての情報を含み、ハンドオーバを要請するためのハンドオーバ要請フレームを第２デバイスに伝送する伝送部と、前記第２デバイスから前記ハンドオーバ要請の承認如何を表すハンドオーバ要請結果情報を含むハンドオーバ応答フレームを受信する受信部と、前記ハンドオーバ応答フレームに基づいて、前記第２デバイスとハンドオーバを選択的に行うハンドオーバ実行部と、を備える。
【００１６】
また、本発明のさらに他の実施形態は前記目的を達成するために、ハンドオーバを要請する理由についての情報を含み、ハンドオーバを要請するためのハンドオーバ要請フレームを第２デバイスに伝送する段階と、前記第２デバイスから、前記ハンドオーバ要請の承認如何を表すハンドオーバ要請結果情報を含むハンドオーバ応答フレームを受信する段階と、前記ハンドオーバ応答フレームに基づいて、前記第２デバイスとハンドオーバを選択的に行う段階と、を含むハンドオーバ実行方法を実行させるためのプログラムが記録されたコンピュータで読み取り可能な記録媒体を提供する。
【発明の効果】
【００１７】
本発明の一実施形態によれば、ＰＣＰとステーション間のハンドオーバが行われる。本発明の他の実施形態によれば、ステーションが先ずＰＣＰにハンドオーバを要請できる。
【図面の簡単な説明】
【００１８】
【図１】本発明の一実施形態によるハンドオーバ実行方法を説明するために示すフローチャートである。
【図２】本発明の一実施形態によるハンドオーバ要請フレームの構造を説明するために示す図面である。
【図３】本発明の一実施形態によるハンドオーバ応答フレームの構造を説明するために示す図面である。
【図４】本発明の一実施形態によって、ステーションがＰＣＰにハンドオーバを要請する場合についてのハンドオーバ実行方法を説明するために示すフローチャートである。
【図５】本発明の他の実施形態によって、ステーションがＰＣＰにハンドオーバを要請する場合についてのハンドオーバ実行方法を説明するために示すフローチャートである。
【図６】本発明の一実施形態によって、ＰＣＰがステーションにハンドオーバを要請する場合についてのハンドオーバ実行方法を説明するために示すフローチャートである。
【図７】本発明の他の実施形態によって、ＰＣＰがステーションにハンドオーバを要請する場合についてのハンドオーバ実行方法を説明するために示すフローチャートである。
【図８】本発明の一実施形態によるハンドオーバ実行装置を説明するために示す図面である。
【発明を実施するための形態】
【００１９】
以下では、添付した図面を参照して本発明の望ましい実施形態について詳細に説明する。
【００２０】
図１は、本発明の一実施形態によるハンドオーバ実行方法を説明するために示すフローチャートである。以下では、ＰＢＳＳ（Ｐｅｒｓｏｎａｌ  Ｂａｓｉｃ  Ｓｅｒｖｉｃｅ  Ｓｅｔ）に属する第１デバイスと第２デバイスとがハンドオーバを行う方法について説明する。ここで、ＰＢＳＳは、ＢＳＳとは異なってＷＰＡＮ（Ｗｉｒｅｌｅｓｓ  Ｐｅｒｓｏｎａｌ  Ａｒｅａ  Ｎｅｔｗｏｒｋ）システムと類似して、原則的にステーションがＢＳＳのＡＰに対応する調整子を通じなくても互いに直接通信を行えるように構成されたネットワークをいう。また、ＷＰＡＮシステムでは外部ネットワークと連結されないこととは異なって、ＰＢＳＳは外部ネットワークと連結される。
【００２１】
段階１１０では、ハンドオーバを要請する理由についての情報を含み、ハンドオーバを要請するためのハンドオーバ要請フレームを、第１デバイスが第２デバイスに伝送する。
【００２２】
この時、第１デバイスがステーションである場合には、第２デバイスは調整子であり、第１デバイスが調整子である場合には、第２デバイスはステーションでありうる。
【００２３】
本発明の一実施形態によるハンドオーバ要請フレームの構造は、図２を参照して後述する。
【００２４】
段階１２０では、第２デバイスから、ハンドオーバ要請フレームによるハンドオーバ要請の承認如何を表すハンドオーバ要請結果情報を含むハンドオーバ応答フレームを、第１デバイスが受信する。
【００２５】
本発明の一実施形態によるハンドオーバ応答フレームの構造は、図３を参照して後述する。
【００２６】
段階１３０では、そのハンドオーバ応答フレームに基づいて、第１デバイスが第２デバイスとのハンドオーバを選択的に行う。
【００２７】
例えば、ハンドオーバ応答フレームに含まれたハンドオーバ要請結果情報がハンドオーバ要請の承認を表示する場合には、第１デバイスと第２デバイスとのハンドオーバが行われるが、そのハンドオーバ要請結果情報がハンドオーバ要請の拒絶を表示する場合には、第１デバイスと第２デバイスとのハンドオーバは行われない。
【００２８】
ここで、調整子は、ＰＢＳＳでＰＣＰ（ＰＢＳＳ  Ｃｏｎｔｒｏｌ  Ｐｏｉｎｔ）と称され、以下では、調整子はＰＣＰと称する。
【００２９】
図２は、本発明の一実施形態によるハンドオーバ要請フレームの構造を説明するために示す図面である。図２を参照すれば、本発明の一実施形態によるハンドオーバ要請フレーム２００は、カテゴリーフィールド２１０、アクションフィールド２２０、ハンドオーバ理由フィールド２３０及びハンドオーバ残余ＢＩフィールド２４０を備える。
【００３０】
カテゴリーフィールド２１０は、ハンドオーバ要請フレーム２００が属するカテゴリーを表す。例えば、ＰＢＳＳで、ミリ波通信のためのフレームを表すカテゴリーであるミリ波カテゴリーと、周波数帯域変更（例えば、Ｆａｓｔ  ｓｅｓｓｉｏｎ  ｔｒａｎｓｆｅｒ：ＦＳＴ）のためのフレームを表す周波数帯域変更カテゴリーなどの２種のカテゴリーがある場合に、ハンドオーバ要請フレーム２００が属するカテゴリーは、ミリ波カテゴリーでありうる。
【００３１】
アクションフィールド２２０は、ハンドオーバ要請フレーム２００がハンドオーバを要請するフレームであるということを表す。
【００３２】
ハンドオーバ理由フィールド２３０には、ハンドオーバを要請する理由についての情報が記録される。この時、ハンドオーバ理由フィールド２３０に記録されるハンドオーバを要請する理由についての情報は、第１デバイスがステーションであるかまたはＰＣＰであるかによって変わる。
【００３３】
例えば、第１デバイスがステーションである場合には、ハンドオーバを要請する理由についての情報は、ハンドオーバを要請するステーションが現在のＰＣＰよりＰＣＰとしての動作実行能力がさらに優秀な場合、ハンドオーバを要請するステーションが特定のサービスを提供するためにＰＣＰとして動作することを所望する場合などを、ハンドオーバ要請理由として含む。
【００３４】
しかし、第１デバイスがＰＣＰである場合には、ハンドオーバを要請する理由についての情報は、ＰＣＰがＰＢＳＳを離れる予定である場合、ＰＣＰの残余電力量が所定の臨界値以下である場合、現在のＰＣＰよりＰＣＰとしての動作実行能力がさらに優秀なステーションが存在する場合、ＰＣＰの通信リンク状態が悪い場合、ＰＣＰに結合しようとするステーションの数がＰＣＰに結合できるステーションの最大数を超過する場合などを、ハンドオーバ要請理由として含む。
【００３５】
ただし、ハンドオーバを要請する理由についての情報に含まれうるハンドオーバ要請理由は、前述した例に限定されるものではない。例えば、第１デバイスがステーションである場合にハンドオーバを要請する理由は、第１デバイスがＰＣＰである場合にハンドオーバを要請する理由のうち少なくとも一つをさらに含むことができ、同様に、第１デバイスがＰＣＰである場合にハンドオーバを要請する理由も、第１デバイスがステーションである場合にハンドオーバを要請する理由のうち少なくとも一つをさらに含む。
【００３６】
また、ハンドオーバを要請する理由についての情報は、ハンドオーバを要請するステーションがＰＣＰになることを希望する場合のように単純な理由も、ハンドオーバ要請理由として含む。
【００３７】
ハンドオーバ残余ＢＩフィールド２４０は、ハンドオーバ要請フレームの伝送時点からハンドオーバ開始時点までの区間の間に、ＰＣＰに残っているビーコンインターバルの数についての情報を表す。
【００３８】
図３は、本発明の一実施形態によるハンドオーバ応答フレームの構造を説明するために示す図面である。図３を参照すれば、本発明の一実施形態によるハンドオーバ応答フレーム３００は、カテゴリーフィールド３１０、アクションフィールド３２０、ハンドオーバ結果フィールド３３０及びハンドオーバ拒絶理由フィールド３４０を備える。
【００３９】
カテゴリーフィールド３１０は、ハンドオーバ応答フレーム３００が属するカテゴリーを示す。例えば、ハンドオーバ応答フレーム３００が属するカテゴリーは、前述したミリ波カテゴリーと周波数帯域変更カテゴリーのうち、ミリ波カテゴリーでありうる。
【００４０】
アクションフィールド３２０は、ハンドオーバ応答フレーム３００が、ハンドオーバ要請フレームによるハンドオーバ要請の承認如何を表す応答フレームであるということを表す。
【００４１】
ハンドオーバ結果フィールド３３０には、ハンドオーバ要請の承認如何を表すハンドオーバ要請結果情報が記録される。ハンドオーバ拒絶理由フィールド３４０には、ハンドオーバ要請結果情報がハンドオーバ要請の拒絶を表示する場合に、ハンドオーバ要請を拒絶する理由についての情報が記録される。
【００４２】
この時、ハンドオーバ拒絶理由フィールド３４０に記録されるハンドオーバ要請を拒絶する理由についての情報は、第２デバイスがステーションであるか、またはＰＣＰであるかによって変わる。
【００４３】
例えば、第２デバイスがＰＣＰである場合には、ハンドオーバ要請を拒絶する理由についての情報は、ハンドオーバを要請するステーションの残余電力量が所定の臨界値以下である場合、ハンドオーバを要請するステーションの通信リンク状態が悪い場合、ＰＣＰに結合されているステーションの数がハンドオーバを要請するステーションに結合できるステーションの最大数を超過する場合、ハンドオーバを要請するステーションが干渉されている場合、ハンドオーバを要請するステーションの通信可能領域がＰＣＰの通信可能領域より狭くて、ハンドオーバを要請するステーションがＰＣＰに結合されているステーションの数より少数のステーションと結合できる場合、ハンドオーバを要請するステーションがＰＢＳＳを離れる予定である場合、ＰＣＰが特定のサービスを提供中である場合、ハンドオーバを要請するステーションがハンドオーバ要請フレームを伝送した時点に、ＰＣＰに残っているビーコンインターバルの数が臨界値以下である場合、及びハンドオーバを要請するステーションが使用中の通信リンクの周波数帯域を他の周波数帯域に変更しようとする場合などを、ハンドオーバ要請に対する拒絶理由として含む。この時、ＰＣＰが特定のサービスを提供中である場合は、ＰＣＰが他のステーションと既にハンドオーバを実行中である場合を含む。
【００４４】
また、ハンドオーバを要請するステーションがハンドオーバ要請フレームを伝送した時点に、ＰＣＰに残っているビーコンインターバルの数が臨界値以下である場合の拒絶理由について説明すれば、次の通りである。例えば、ＰＣＰが１００個のビーコンインターバル（またはスーパーフレーム）の間にＰＣＰ役割を行うと設定されており、ＰＣＰが９５番目のビーコンインターバルで動作を行う間にステーションからハンドオーバ要請フレームを伝送された場合に、この時ビーコンインターバル臨界値が６個ならば、ＰＣＰに残っているビーコンインターバルの数が５個であって、ビーコンインターバル臨界値である６個より少ないので、ハンドオーバ要請を拒絶できるが、このような場合を意味する。
【００４５】
一方、第２デバイスがステーションである場合には、ハンドオーバ要請を拒絶する理由に、ハンドオーバを要請されたステーションの残余電力量が低い場合、ハンドオーバを要請されたステーションの通信リンク状態が悪い場合、ＰＣＰに結合されているステーションの数が、ハンドオーバを要請されたステーションに結合できるステーションの最大数を超過する場合、ハンドオーバを要請されたステーションが干渉されている場合、ハンドオーバを要請されたステーションが特定のサービスを提供し続けることを所望する場合、ハンドオーバを要請されたステーションの通信可能領域がＰＣＰの通信可能領域より狭くて、ハンドオーバを要請されたステーションがＰＣＰに結合されているステーションの数より少数のステーションと結合できる場合、ハンドオーバを要請されたステーションがＱｏＳ（Ｑｕａｌｉｔｙ  ｏｆ  Ｓｅｒｖｉｃｅ）が保証されるべきサービスを提供している場合、ハンドオーバを要請されたステーションがＰＢＳＳを離れる予定である場合、及びハンドオーバを要請されたステーションが使用中の通信リンクの周波数帯域を他の周波数帯域に変更する予定である場合などを、ハンドオーバ要請に対する拒絶理由として含む。この時、ＱｏＳが保証されるべきサービスを提供している場合は、Ａ／Ｖ（ａｕｄｉｏ／ｖｉｄｅｏ）コンテンツを伝送する場合を含む。
【００４６】
ただし、ハンドオーバ要請を拒絶する理由についての情報に含まれうるハンドオーバ要請を拒絶する理由は、前述した例野に限定されるものではない。例えば、第２デバイスがＰＣＰである場合に、ハンドオーバ要請を拒絶する理由は、第２デバイスがステーションである場合にハンドオーバ要請を拒絶する理由のうち少なくとも一つをさらに含むことができ、同様に、第２デバイスがステーションである場合に、ハンドオーバ要請を拒絶する理由も、第２デバイスがＰＣＰである場合にハンドオーバ要請を拒絶する理由のうち少なくとも一つをさらに含む。
【００４７】
ここで、ステーション及びＰＣＰは、互いに自身の能力及び状態についての情報を周期的に送受信して、相手の能力及び現在状態に対して認知していると仮定する。
【００４８】
一方、他の実施形態では、ハンドオーバ拒絶理由フィールド３４０が０の値を持つならば、ハンドオーバ拒絶理由フィールド３４０にハンドオーバ要請を拒絶する理由についての情報が記録されていないということを表し、１の値を持つならば、ハンドオーバ拒絶理由フィールド３４０が前述したハンドオーバ要請を拒絶する理由についての情報のうち一つの理由を含むということを表す。
【００４９】
図４は、本発明の一実施形態によって、ステーションがＰＣＰにハンドオーバを要請する場合についてのハンドオーバ実行方法を説明するために示すフローチャートである。第１の段階で、複数のステーションのうちステーションＡ４１０が、自身が現在のＰＣＰ４２０よりＰＣＰとしての動作実行能力さらに優秀であると判断する。
【００５０】
この時、ステーションＡ４１０は、ＰＣＰ４２０の能力及び状態についての情報を分かっていなければならず、自身の能力及び状態をＰＣＰ４２０の能力及び状態と比較することで、自身が現在のＰＣＰ４２０よりＰＣＰとしての動作実行能力がさらに優秀であるかどうかを判断する。
【００５１】
第２の段階で、ステーションＡ４１０は、ハンドオーバを要請する理由についての情報を含むハンドオーバ要請フレームをＰＣＰ４２０に伝送する。この時、ハンドオーバを要請する理由についての情報には、ステーションＡ４１０が現在のＰＣＰ４２０よりＰＣＰとしての動作実行能力がさらに優秀であるという理由が含まれる。
【００５２】
本発明の一実施形態は、従来にＰＣＰのみステーションにハンドオーバを要請したこととは異なって、このようにステーションが先ずＰＣＰにハンドオーバを要請できるという差異点がある。また、ステーションがＰＣＰにハンドオーバを要請しつつハンドオーバを要請する理由をＰＣＰに共に伝送するため、ＰＣＰの立場では、そのハンドオーバ要請理由に基づいてステーションのハンドオーバ要請を承認するかどうかを判断できる。
【００５３】
第３の段階で、ＰＣＰ４２０は、ハンドオーバ要請フレームによるハンドオーバ要請の承認如何を表すハンドオーバ応答フレームをステーションＡ４１０に伝送する。
【００５４】
本実施形態では、ステーションＡ４１０がハンドオーバを要請する理由が妥当であるので、ＰＣＰ４２０がステーションＡ４１０のハンドオーバ要請を承認するハンドオーバ応答フレームをステーションＡ４１０に伝送する。しかし、ＰＣＰ４２０がハンドオーバを要請する理由が妥当でないと判断すれば、ＰＣＰ４２０は、ステーションＡ４１０のハンドオーバ要請を拒絶するハンドオーバ応答フレームをステーションＡ４１０に伝送する。
【００５５】
第４の段階で、ＰＣＰ４２０がステーションＡ４１０とハンドオーバを行って、ステーションＡ４１０に調整子としての役割を渡す。
【００５６】
図５は、本発明の第２実施形態によって、ステーションがＰＣＰにハンドオーバを要請する場合についてのハンドオーバ実行方法を説明するために示すフローチャートである。
【００５７】
第１の段階で、複数のステーションのうちステーションＡ５１０が特定のサービスを提供するために、自身がＰＣＰとして動作する必要があると判断する。
【００５８】
第２の段階で、ステーションＡ５１０は、ハンドオーバを要請する理由についての情報を含むハンドオーバ要請フレームをＰＣＰ５２０に伝送する。この時、ハンドオーバを要請する理由についての情報には、ステーションＡ５１０が特定のサービスを提供するために、ＰＣＰとして動作することを所望する場合であるという理由が含まれる。
【００５９】
第３の段階で、ＰＣＰ５２０は、ハンドオーバ要請フレームによるハンドオーバ要請の承認如何を表すハンドオーバ応答フレームをステーションＡ５１０に伝送する。
【００６０】
本実施形態では、ステーションＡ５１０がハンドオーバを要請する理由が妥当であるので、ＰＣＰ５２０がステーションＡ５１０のハンドオーバ要請を承認するハンドオーバ応答フレームをステーションＡ５１０に伝送する。
【００６１】
第４の段階で、ＰＣＰ５２０がステーションＡ５１０とハンドオーバを行って、ステーションＡ５１０に調整子としての役割を渡す。
【００６２】
図６は、本発明の一実施形態によって、ＰＣＰがステーションにハンドオーバを要請する場合についてのハンドオーバ実行方法を説明するために示すフローチャートである。第１の段階で、ＰＣＰ６１０が自身の通信リンクの状態が悪いと判断する。例えば、ＰＣＰ６１０が６０ＧＨｚ周波数帯域で通信を行っていたが、その６０ＧＨｚ周波数帯域における通信リンクで受信されるデータの信号対ノイズ比（ＳＮＲ）が低い場合、自身の通信リンクの状態が悪いと判断できる。
【００６３】
第２の段階で、ＰＣＰ６１０は、ＰＣＰとして動作可能なステーションのうち一つであるステーションＡ６２０に、ハンドオーバを要請する理由についての情報を含むハンドオーバ要請フレームを伝送する。この時、ハンドオーバを要請する理由についての情報には、ＰＣＰ６１０が現在使用する通信リンクの状態が悪いという理由が含まれる。
【００６４】
第３の段階で、ステーションＡ６２０は、ハンドオーバ要請フレームによるハンドオーバ要請の承認如何を表すハンドオーバ応答フレームをＰＣＰ６１０に伝送する。
【００６５】
本実施形態では、ＰＣＰ６１０がハンドオーバを要請する理由が妥当であるので、ステーションＡ６２０がＰＣＰ６１０のハンドオーバ要請を承認するハンドオーバ応答フレームをＰＣＰ６１０に伝送する。
【００６６】
第４の段階で、ステーションＡ６２０がＰＣＰ６１０とのハンドオーバを行って、ＰＣＰ６１０から調整子としての役割を渡される。
【００６７】
図７は、本発明の第２実施形態によってＰＣＰがステーションにハンドオーバを要請する場合についてのハンドオーバ実行方法を説明するために示すフローチャートである。第１の段階で、ＰＣＰ７１０が、自身に結合しようとするステーションの数が自身に結合できるステーションの最大数を超過すると判断する。
【００６８】
例えば、ＰＣＰ７１０に結合できるステーションの最大数が１０個であるが、１１番目のステーションがＰＣＰ７１０に結合要請をする場合がこれに該当する。
【００６９】
第２の段階で、ＰＣＰ７１０は、ＰＣＰとして動作可能なステーションのうち一つであるステーションＡ７２０にハンドオーバを要請する理由についての情報を含むハンドオーバ要請フレームを伝送する。この時、ＰＣＰ７１０は、ステーションＡ７２０の能力についての情報を分かっていなければならず、自身の能力をステーションＡ７２０の能力と比較した結果、自身に結合できるステーションの最大数よりステーションＡ７２０に結合できるステーションの最大数がさらに多いと判断された場合に、ステーションＡ７２０にハンドオーバ要請フレームを伝送する。
【００７０】
一方、ハンドオーバを要請する理由についての情報には、現在のＰＣＰ７１０に結合しようとするステーションの数が、そのＰＣＰ７１０に結合できるステーションの最大数を超過するという理由が含まれる。
【００７１】
第３の段階で、ステーションＡ７２０は、ハンドオーバ要請フレームによるハンドオーバ要請の承認如何を表すハンドオーバ応答フレームをＰＣＰ７１０に伝送する。
【００７２】
本実施形態では、ＰＣＰ７１０がハンドオーバを要請する理由が妥当であるので、ステーションＡ７２０がＰＣＰ７１０のハンドオーバ要請を承認するハンドオーバ応答フレームをＰＣＰ７１０に伝送する。
【００７３】
第４の段階で、ステーションＡ７２０がＰＣＰ７１０とのハンドオーバを行って、ＰＣＰ７１０から調整子としての役割を渡される。
【００７４】
図８は、本発明の一実施形態によるハンドオーバ実行装置を説明するために示す図面である。図８を参照すれば、本発明の一実施形態によるハンドオーバ実行装置８１０は、伝送部８１２、受信部８１４及びハンドオーバ実行部８１６を備える。この時、本発明の一実施形態によるハンドオーバ実行装置８１０は、第１デバイス（図示せず）に搭載されていると仮定する。ただし、他の実施形態では、ハンドオーバ実行装置８１０が第１デバイスでありうる。また、説明の便宜のために第２デバイス８２０をさらに図示した。
【００７５】
伝送部８１２は、ハンドオーバを要請する理由についての情報を含み、ハンドオーバを要請するためのハンドオーバ要請フレームを第２デバイス８２０に伝送する。受信部８１４は、第２デバイス８２０からハンドオーバ要請の承認如何を表すハンドオーバ要請結果情報を含むハンドオーバ応答フレームを受信する。
【００７６】
ハンドオーバ実行部８１６は、ハンドオーバ応答フレームに基づいて、第２デバイス８２０とハンドオーバを選択的に行う。
【００７７】
一方、前述した本発明の実施形態は、コンピュータで実行できるプログラムで作成可能であり、コンピュータで読み取り可能な記録媒体を用いて前記プログラムを動作させる汎用ディジタルコンピュータで具現される。
【００７８】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）を含む。
【００７９】
これまで本発明についてその望ましい実施形態を中心として説明した。当業者ならば、本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は前述した説明ではなく特許請求の範囲に示されており、それと同等な範囲内にあるあらゆる差異点は本発明に含まれていると解釈されねばならない。
【図１】
2013520910.tif 000003
【図２】
2013520910.tif 000004
【図３】
2013520910.tif 000005
【図４】
2013520910.tif 000006
【図５】
2013520910.tif 000007
【図６】
2013520910.tif 000008
【図７】
2013520910.tif 000009
【図８】
2013520910.tif 000010
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
第１デバイスと第２デバイスとのハンドオーバ実行方法において、
ハンドオーバを要請する理由についての情報を含み、ハンドオーバを要請するためのハンドオーバ要請フレームを第２デバイスに伝送する段階と、
前記第２デバイスから、前記ハンドオーバ要請の承認如何を表すハンドオーバ要請結果情報を含むハンドオーバ応答フレームを受信する段階と、
前記ハンドオーバ応答フレームに基づいて、前記第２デバイスとハンドオーバとを行う段階と、を含むことを特徴とするハンドオーバ実行方法。
【請求項２】
前記第１デバイス及び前記第２デバイスは、ＰＢＳＳ（Ｐｅｒｓｏｎａｌ  ＢａｓｉｃＳｅｒｖｉｃｅ  Ｓｅｔ）に属し、前記第１デバイスはステーションであり、前記第２デバイスは前記ＰＢＳＳにおける制御ポイント（ＰＢＳＳ  Ｃｏｎｔｒｏｌ  Ｐｏｉｎｔ：ＰＣＰ）であることを特徴とする請求項１に記載のハンドオーバ実行方法。
【請求項３】
前記ハンドオーバを要請する理由についての情報は、
前記ステーションが、前記ＰＣＰよりＰＣＰとしての動作実行能力がさらに優秀な場合についての情報を含むことを特徴とする請求項２に記載のハンドオーバ実行方法。
【請求項４】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項２に記載のハンドオーバ実行方法。
【請求項５】
前記ハンドオーバ要請を拒絶する理由についての情報は、
前記ステーションの残余電力量が所定の臨界値以下である場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションの通信可能領域が前記ＰＣＰの通信可能領域より狭くて、前記ステーションが前記ＰＣＰに結合されているステーションの数より少数のステーションと結合できる場合、前記ステーションが前記ＰＢＳＳを離れる予定である場合、前記ＰＣＰが特定のサービスを提供中である場合、前記ステーションが前記ハンドオーバ要請フレームを伝送した時点に、前記ＰＣＰに残っているビーコンインターバルの数が臨界値以下である場合、及び前記ステーションが使用中の通信リンクの周波数帯域を他の周波数帯域に変更しようとする場合のうち一つの理由についての情報を含むことを特徴とする請求項４に記載のハンドオーバ実行方法。
【請求項６】
前記第１デバイス及び前記第２デバイスはＰＢＳＳに属し、前記第１デバイスは前記ＰＢＳＳにおける制御ポイントであり、前記第２デバイスはステーションであることを特徴とする請求項１に記載のハンドオーバ実行方法。
【請求項７】
前記ハンドオーバを要請する理由についての情報は、
前記ＰＣＰが前記ＰＢＳＳを離れる予定である場合、前記ＰＣＰの残余電力量が所定の臨界値以下である場合、前記ＰＣＰよりＰＣＰとしての動作実行能力がさらに優秀なステーションが存在する場合、前記ＰＣＰの通信リンク状態が悪い場合、前記ＰＣＰに結合しようとするステーションの数が前記ＰＣＰに結合できるステーションの最大数を超過する場合のうち一つの理由についての情報を含むことを特徴とする請求項６に記載のハンドオーバ実行方法。
【請求項８】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項６に記載のハンドオーバ実行方法。
【請求項９】
前記ハンドオーバ要請を拒絶する理由についての情報は、
前記ステーションの残余電力量が低い場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションが特定のサービスを提供し続けることを所望する場合、前記ステーションの通信可能領域が前記ＰＣＰの通信可能領域より狭くて、前記ステーションが前記ＰＣＰに結合されているステーションの数より少数のステーションと結合できる場合、前記ステーションがＱｏＳ（Ｑｕａｌｉｔｙ  ｏｆ  Ｓｅｒｖｉｃｅ）が保証されるべきサービスを提供している場合、前記ステーションが前記ＰＢＳＳを離れる予定である場合、及び前記ステーションが使用中の通信リンクの周波数帯域を他の周波数帯域に変更する予定である場合のうちいずれか一つの理由についての情報を含むことを特徴とする請求項６に記載のハンドオーバ実行方法。
【請求項１０】
前記ハンドオーバ要請フレームは、
前記ハンドオーバ要請フレームの伝送時点から前記ハンドオーバ開始時点までの区間の間に、前記ＰＣＰに残っているビーコンインターバルの数についての情報をさらに含むことを特徴とする請求項１に記載のハンドオーバ実行方法。
【請求項１１】
第１デバイスの第２デバイスとのハンドオーバ実行装置において、
ハンドオーバを要請する理由についての情報を含み、ハンドオーバを要請するためのハンドオーバ要請フレームを第２デバイスに伝送する伝送部と、
前記第２デバイスから前記ハンドオーバ要請の承認如何を表すハンドオーバ要請結果情報を含むハンドオーバ応答フレームを受信する受信部と、
前記ハンドオーバ応答フレームに基づいて、前記第２デバイスとハンドオーバを行うハンドオーバ実行部と、を備えることを特徴とするハンドオーバ実行装置。
【請求項１２】
前記第１デバイス及び前記第２デバイスは、ＰＢＳＳに属し、前記第１デバイスはステーションであり、前記第２デバイスは前記ＰＢＳＳにおける制御ポイントであることを特徴とする請求項１１に記載のハンドオーバ実行装置。
【請求項１３】
前記ハンドオーバを要請する理由についての情報は、
前記ステーションが前記ＰＣＰよりＰＣＰとしての動作実行能力がさらに優秀な場合についての情報を含むことを特徴とする請求項１２に記載のハンドオーバ実行装置。
【請求項１４】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項１２に記載のハンドオーバ実行装置。
【請求項１５】
前記ハンドオーバ要請を拒絶する理由についての情報は、
前記ステーションの残余電力量が所定の臨界値以下である場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションの通信可能領域が前記ＰＣＰの通信可能領域より狭くて、前記ステーションが前記ＰＣＰに結合されているステーションの数より少数のステーションと結合できる場合、前記ステーションが前記ＰＢＳＳを離れる予定である場合、前記ＰＣＰが特定のサービスを提供中である場合、前記ステーションが前記ハンドオーバ要請フレームを伝送した時点に前記ＰＣＰに残っているビーコンインターバルの数が臨界値以下である場合、及び前記ステーションが使用中の通信リンクの周波数帯域を他の周波数帯域に変更しようとする場合のうち一つの理由についての情報を含むことを特徴とする請求項１４に記載のハンドオーバ実行装置。
【請求項１６】
前記第１デバイス及び前記第２デバイスは、ＰＢＳＳに属し、前記第１デバイスは、前記ＰＢＳＳにおける制御ポイントであり、前記第２デバイスは、ステーションであることを特徴とする請求項１１に記載のハンドオーバ実行装置。
【請求項１７】
前記ハンドオーバを要請する理由についての情報は、
前記ＰＣＰが前記ＰＢＳＳを離れる予定である場合、前記ＰＣＰの残余電力量が所定の臨界値以下である場合、前記ＰＣＰよりＰＣＰとしての動作実行能力がさらに優秀なステーションが存在する場合、前記ＰＣＰの通信リンク状態が悪い場合、前記ＰＣＰに結合しようとするステーションの数が前記ＰＣＰに結合できるステーションの最大数を超過する場合のうち一つの理由についての情報を含むことを特徴とする請求項１６に記載のハンドオーバ実行装置。
【請求項１８】
前記ハンドオーバ応答フレームは、
前記ハンドオーバ要請結果情報が前記ハンドオーバ要請の拒絶を表示する場合に、前記ハンドオーバ要請を拒絶する理由についての情報をさらに含むことを特徴とする請求項１６に記載のハンドオーバ実行装置。
【請求項１９】
前記ハンドオーバ要請を拒絶する理由についての情報は、
前記ステーションの残余電力量が低い場合、前記ステーションの通信リンク状態が悪い場合、前記ＰＣＰに結合されているステーションの数が前記ステーションに結合できるステーションの最大数を超過する場合、前記ステーションが干渉されている場合、前記ステーションが特定のサービスを提供し続けることを所望する場合、前記ステーションの通信可能領域が前記ＰＣＰの通信可能領域より狭くて、前記ステーションが前記ＰＣＰに結合されているステーションの数より少数のステーションと結合できる場合、前記ステーションがＱｏＳが保証されるべきサービスを提供している場合、前記ステーションが前記ＰＢＳＳを離れる予定である場合、及び前記ステーションが使用中の通信リンクの周波数帯域を他の周波数帯域に変更する予定である場合のうち一つの理由についての情報を含むことを特徴とする請求項１６に記載のハンドオーバ実行装置。
【請求項２０】
前記ハンドオーバ要請フレームは、
前記ハンドオーバ要請フレームの伝送時点から前記ハンドオーバ開始時点までの区間の間に、前記ＰＣＰに残っているビーコンインターバルの数についての情報をさらに含むことを特徴とする請求項１１に記載のハンドオーバ実行装置。
【請求項２１】
第１デバイスと第２デバイスとのハンドオーバ実行方法において、
ハンドオーバを要請する理由についての情報を含み、ハンドオーバを要請するためのハンドオーバ要請フレームを第２デバイスに伝送する段階と、
前記第２デバイスから、前記ハンドオーバ要請の承認如何を表すハンドオーバ要請結果情報を含むハンドオーバ応答フレームを受信する段階と、
前記ハンドオーバ応答フレームに基づいて、前記第２デバイスとハンドオーバを選択的に行う段階と、を含むことを特徴とするハンドオーバ実行方法を実行させるためのプログラムが記録されたコンピュータで読み取り可能な記録媒体。
【国際調査報告】
2013520910.tif 000011
2013520910.tif 000012
2013520910.tif 000013